(57)【要約】      （修正有）【課題】テープガイドポストをシャーシの孔部に挿し込む時の余裕を大きくしガイドポストの径が大きくてもシャーシの孔部に取り付けてｘｙ方向の位置決めを正確にできる。【解決手段】テープ案内用のテープガイドポスト７を取付けるシャーシ１６に長円形状長孔１６ａを設けガイドポストの長孔への挿入部を幅狭長円形状に形成し長孔の両端にガイドポストの取付用翼状片７ｃを挿入する外向き長四角状挿入用長溝１６ｂ、１６ｃを穿設し一方側長溝の近傍に止め孔１６ｄを設けガイドポストの長円形状の下部を長孔に挿入しガイドポストを９０度回転させガイドポストの長円形状下部の両端を長孔の左右両縁部に圧接し長孔に連通した挿入用長溝１６ｂ、１６ｃの近傍の止め孔１６ｄにガイドポストの下部近傍の長板片７ｄの先端の突起７ｅを挿入しガイドポストの下部近傍箇所の複数の翼部７ｆと取付用翼状部間でシャーシを挟んでガイドポストをシャーシに取付ける。【選択図】図３
2005050431.tif 000002
【特許請求の範囲】
【請求項１】
供給リールと巻取りリールとの間を往復移動するテープを案内するテープガイドポストを有するテープデッキにおいて、前記テープガイドポストが取り付けられるシャーシに、長円形状の長孔が穿設され、前記テープガイドポストにおける前記長孔に挿入される部分が若干幅狭の断面長円形状に形成されていて、前記長円形状の長孔の両端部にテープガイドポストの下部の取付用翼状片が挿入される外向きの長四角状の挿入用長溝が穿設され、一方側の長溝の近傍箇所に止め孔が穿設されていて、前記テープガイドポストの断面長円形状の下部が前記シャーシの長孔に挿入された後に、前記テープガイドポストを９０度回転させて、前記テープガイドポストの断面長円形状の下部の両端を前記長円形状の長孔の幅狭の左右両縁部に圧接するとともに、前記長孔に連通された挿入用長溝の近傍箇所の止め孔に、前記テープガイドポストの下部近傍から突設された長板片の先端の突起を挿入して、前記テープガイドポストの下部近傍箇所の複数の翼部と前記取付用翼状部間で前記シャシーを挟み込んで、前記テープガイドポストを前記シャーシーに取付固定するように構成したことを特徴とするテープデッキ。
【請求項２】
供給リールと巻取りリールとの間を往復移動するテープを案内するテープガイドポストを有するテープデッキにおいて、前記テープガイドポストが取り付けられるシャーシに、長円形状又は楕円形状の長孔が穿設され、前記テープガイドポストにおける前記長孔に挿入される部分が若干幅狭の断面長円形状に形成されていて、前記長円形状の長孔の両端部にテープガイドポストの下部の取付用翼状片が挿入される外向きの長四角状の挿入用長溝が穿設されていて、前記テープガイドポストの断面長円形状の下部が前記シャーシの長孔に挿入された後に、前記テープガイドポストを９０度回転させて、前記テープガイドポストの断面長円形状の下部の両端を前記長円形状又は楕円形状の長孔の幅狭の左右両縁部に圧接して、前記テープガイドポストの下部近傍箇所の複数の翼部と前記取付用翼状部間で前記シャシーを挟み込んで、前記テープガイドポストを前記シャーシーに取付固定するように構成したことを特徴とするテープデッキ。
【請求項３】
前記テープガイドポストは、前記シャーシの長孔に嵌め入れられる箇所だけが断面長円形状に形成されているテープデッキ。
【発明の詳細な説明】
【技術分野】
【０００１】
本発明は、供給リールと巻取りリールとの間を往復移動するテープを案内するテープガイドポストを有するテープデッキに関し、特にシャーシに穿設された孔部にテープガイドポストを挿入して、このテープガイドポストをシャーシに取り付けるようにしたテープデッキに関するものである。
【背景技術】
【０００２】
従来、この種のテープデッキにおいては、シャーシに孔部を設け、フックの突いたテープガイドポストをその孔部に挿し込み、テープガイドポストを回してシャーシに固定するようにしていた。この場合、シャーシの孔部とテープガイドポストとのはめ合い寸法をきつくしないとｘｙ方向の位置決めができない。しかし、はめ合い寸法をきつくすると、テープガイドポストの成形条件により規格よりもテープガイドポストが大きく仕上がった場合、全く取り付けが出来ないという恐れが生じるという問題があった。
【０００３】
第１の従来技術を図５、図６に示す。テープカセットから引き出された磁気テープＴをガイドするテープガイドポスト１０７が、磁気テープＴの下端縁を支持するための下端大径部１１７ａと、下端縁を支持するための下端大径部１１７ａの上端部に同心状に一体突設されて磁気テープＴのテープ面を支持するための上端小径部１１７ｂとを備えたポスト本体１１７を有し、上端小径部１１７ｂにガイドパイプ１１８が回転可能に外嵌され、ポスト本体１１７の上端部に磁気テープＴの上端縁を支持するためのキャップ１１９が着脱可能に取り付けられた磁気記録再生装置におけるテープガイドポストにおいて、キャップ１１９にガイドパイプ１１８の上端部を嵌入させるための環状溝１２２が形成されているものである。（例えば、特許文献１参照）。
ところが、これは、テープガイドポスト１０７とシャーシとの取付構造ではなく、テープガイドポスト１０７のポスト本体１１７とキャップ１１９の取付構造に関するものであった。
【０００４】
第２の従来技術を図７（ａ）（ｂ）（ｃ）に示す。装着されるカセットドアの近傍に設けられ供給リールとの間を往復移動するテープを案内するテープガイドスタッド２０５を有するテープデッキにおいて、テープガイドスタッド２０５は上部がキャップ２０１で覆われ、キャップ２０１の内部はテープガイドスタッド２０５の軸頭部２０５ａとほぼ同径の中空の円筒部２０１ａを有し円筒部２０１ａの周方向の一部に切欠部２０１ｂを形成するようにしたものである。（例えば、特許文献２参照）。
ところが、これも、テープガイドスタッド２０５とシャーシとの取付構造ではなく、テープガイドスタッド２０５の軸頭部２０５ａとキャップ２０１との取付構造に関するものであった。
【０００５】
【特許文献１】特開平８−３２９５６９号公報
【特許文献２】実開平６−５２０３１号公報
【発明の開示】
【発明が解決しようとする課題】
【０００６】
本発明は、上記従来の問題を解消し、テープガイドポストをシャーシの孔部に挿し込む時の余裕を大きく取ることができ、かつ回し込んだ時に孔部とテープガイドポストとの隙間を挟めることができてｘｙ方向の位置決めを正確にすることが出来て、多少テープガイドポストの径が大きく仕上がっても容易にシャーシの孔部に取り付けることができ、この場合にもｘｙ方向の位置決めを正確にできるテープデッキを提供することを目的とするものである。
【課題を解決するための手段】
【０００７】
本発明は、上記課題を解決するために提案されたものであって、請求項１に記載の発明は、供給リールと巻取りリールとの間を往復移動するテープを案内するテープガイドポストを有するテープデッキにおいて、前記テープガイドポストが取り付けられるシャーシに、長円形状の長孔が穿設され、前記テープガイドポストにおける前記長孔に挿入される部分が若干幅狭の断面長円形状に形成されていて、前記長円形状の長孔の両端部にテープガイドポストの下部の取付用翼状片が挿入される外向きの長四角状の挿入用長溝が穿設され、一方側の長溝の近傍箇所に止め孔が穿設されていて、前記テープガイドポストの断面長円形状の下部が前記シャーシの長孔に挿入された後に、前記テープガイドポストを９０度回転させて、前記テープガイドポストの断面長円形状の下部の両端を前記長円形状の長孔の幅狭の左右両縁部に圧接するとともに、前記長孔に連通された挿入用長溝の近傍箇所の止め孔に、前記テープガイドポストの下部近傍から突設された長板片の先端の突起を挿入して、前記テープガイドポストの下部近傍箇所の複数の翼部と前記取付用翼状部間で前記シャシーを挟み込んで、前記テープガイドポストを前記シャーシーに取付固定するように構成したことを特徴としている。
【０００８】
請求項２に記載の発明は、供給リールと巻取りリールとの間を往復移動するテープを案内するテープガイドポストを有するテープデッキにおいて、前記テープガイドポストが取り付けられるシャーシに、長円形状又は楕円形状の長孔が穿設され、前記テープガイドポストにおける前記長孔に挿入される部分が若干幅狭の断面長円形状に形成されていて、前記長円形状の長孔の両端部にテープガイドポストの下部の取付用翼状片が挿入される外向きの長四角状の挿入用長溝が穿設されていて、前記テープガイドポストの断面長円形状の下部が前記シャーシの長孔に挿入された後に、前記テープガイドポストを９０度回転させて、前記テープガイドポストの断面長円形状の下部の両端を前記長円形状又は楕円形状の長孔の幅狭の左右両縁部に圧接して、前記テープガイドポストの下部近傍箇所の複数の翼部と前記取付用翼状部間で前記シャシーを挟み込んで、前記テープガイドポストを前記シャーシーに取付固定するように構成したことを特徴としている。
請求項３に記載の発明は、前記テープガイドポストは、前記シャーシの長孔に嵌め入れられる箇所だけが断面長円形状に形成されているものである。
【発明の効果】
【０００９】
以上説明したように、請求項１に記載の発明は、供給リールと巻取りリールとの間を往復移動するテープを案内するテープガイドポストを有するテープデッキにおいて、テープガイドポストが取り付けられるシャーシに、長円形状の長孔が穿設され、テープガイドポストにおける長孔に挿入される部分が若干幅狭の断面長円形状に形成されていて、長円形状の長孔の両端部にテープガイドポストの下部の取付用翼状片が挿入される外向きの長四角状の挿入用長溝が穿設され、一方側の長溝の近傍箇所に止め孔が穿設されていて、テープガイドポストの断面長円形状の下部がシャーシの長孔に挿入された後に、テープガイドポストを９０度回転させて、テープガイドポストの断面長円形状の下部の両端を長円形状の長孔の幅狭の左右両縁部に圧接するとともに、長孔に連通された挿入用長溝の近傍箇所の止め孔に、テープガイドポストの下部近傍から突設された長板片の先端の突起を挿入して、テープガイドポストの下部近傍箇所の複数の翼部と取付用翼状部間でシャシーを挟み込んで、テープガイドポストをシャーシーに取付固定するように構成したので、以下に述べる効果を奏する。
【００１０】
即ち、テープガイドポストをシャーシの長円形状の長孔に挿し込む時の余裕を大きく取ることができ、かつ回し込んだ時に長孔とテープガイドポストとの隙間を挟めることができてｘｙ方向の位置決めを正確にすることが出来て、多少テープガイドポストの径が大きく仕上がっても容易にシャーシの長孔に取り付けることができ、この場合にもｘｙ方向の位置決めを正確にできるテープデッキを提供することを目的とするものである。
【００１１】
請求項２に記載の発明は、供給リールと巻取りリールとの間を往復移動するテープを案内するテープガイドポストを有するテープデッキにおいて、テープガイドポストが取り付けられるシャーシに、長円形状又は楕円形状の長孔が穿設され、テープガイドポストにおける長孔に挿入される部分が若干幅狭の断面長円形状に形成されていて、長円形状の長孔の両端部にテープガイドポストの下部の取付用翼状片が挿入される外向きの長四角状の挿入用長溝が穿設されていて、テープガイドポストの断面長円形状の下部がシャーシの長孔に挿入された後に、テープガイドポストを９０度回転させて、テープガイドポストの断面長円形状の下部の両端を長円形状又は楕円形状の長孔の幅狭の左右両縁部に圧接して、テープガイドポストの下部近傍箇所の複数の翼部と取付用翼状部間でシャシーを挟み込んで、テープガイドポストをシャーシーに取付固定するように構成したので、以下に述べる効果を奏する。
即ち、テープガイドポストをシャーシの長円形状又は楕円形状の長孔に挿し込む時の余裕を大きく取ることができ、かつ回し込んだ時に長孔とテープガイドポストとの隙間を挟めることができてｘｙ方向の位置決めを正確にすることが出来て、多少テープガイドポストの径が大きく仕上がっても容易にシャーシの長孔に取り付けることができ、この場合にもｘｙ方向の位置決めを正確にできるテープデッキを提供することを目的とするものである。
【００１２】
請求項３に記載の発明は、テープガイドポストは、シャーシの長孔に嵌め入れられる箇所だけが断面長円形状に形成されているので、テープガイドポストが長穴に対して上下方向に移動することを阻止して上下方向の位置決めを確実に行うことができる。
【発明を実施するための最良の形態】
【００１３】
以下、本発明に係るテープデッキの実施の形態について、図を参照しつつ説明する。
図１は本発明のテープデッキ全体の内部構造を示す概略平面図、図２は第１実施形態のテープデッキにおけるテープガイドポストとシャーシの長孔との関係を示すもので、（ａ）はそのテープガイドポストをシャーシの長孔に挿入したときの状態の部分縦断面図、（ｂ）はそのテープガイドポストを長孔に取付けた状態の部分縦断面図、図３は第１実施形態のテープデッキにおけるテープガイドポストとシャーシの長孔との関係を示すもので、（ａ）はそのテープガイドポストをシャーシの長孔に挿入したときの状態の部分底面図、（ｂ）はそのテープガイドポストを長孔に取付けた状態の部分底面図である。
【００１４】
先ず、本発明に係るテープデッキの内部構造について、図１に基づいて説明すると、１は供給リール１ａと巻き取りリール１ｂとを備えたテープカセット、２はテープカセット１から磁気テープＴを引き出してヘッドシリンダ３に巻き付けるための可動側のテープガイドポスト、４は全幅消去ヘッド、５は音声消去ヘッド、６は音声・コントロールヘッド、７は固定側のテープガイドポスト、８はバックテンションポスト、９はキャプスタン、１０はピンチローラ支持機構であって、枢支軸１１に回動可能に枢支された支持アーム１２を有し、支持アーム１２の一端部にピンチローラ１３が枢着され、その他端部に設けたカムピン１４が回転カム１５のカム溝１５ａに嵌入している。
上記構成において、録画、再生などの磁気テープＴを走行させるときには、図示のように、可動側のテープガイドポスト２によりテープカセット１から磁気テープＴを引き出してヘッドシリンダ３に巻き付けると共に、回転カム１５を所定角度回転させて、支持アーム１２を回動させることにより、ピンチローラ１３を磁気テープＴを介してキャプスタン９に押し付け、キャプスタン９を回転駆動することにより、磁気テープＴを走行させ、録画、再生などを行うようになっている。
【００１５】
そして、テープガイドポスト７は、図２に示すように、シャーシ１６上に立設された下端大径部７ａ及びこの下端大径部７ａの上端部に同心状に一体突設された上端小径部７ｂからなる筒状ポスト本体７Ａと、ポスト本体７Ａの上端部に着脱可能に取り付けられたキャップ７Ｂとからなり、ポスト本体７Ａの上端小径部７ｂにより磁気テープＴのテープ面が支持されると共に、キャップ７Ｂ及び下端大径部７ａにより磁気テープＴの上下両縁が支持され、これによって、磁気テープＴを蛇行することなく直線的に走行させることができるようになっている。
【００１６】
次に、第１実施形態のテープデッキについて説明すると、図２（ａ）（ｂ）、図３（ａ）（ｂ）に示すように、テープガイドポスト７が取り付けられるシャーシ１６に、長円形状の長孔１６ａが穿設され、テープガイドポスト７における長孔１６ａに挿入される下端大径部７ａ部分が若干幅狭の断面長円形状に形成されていて、長円形状の長孔１６ａの両端部にテープガイドポスト７の下部の取付用翼状片７ｃが挿入される外向きの長四角状の挿入用長溝１６ｂ、１６ｃが穿設され、一方側の長溝１６ｂの近傍箇所に止め孔１６ｄが穿設されている。そして、テープガイドポスト７の断面長円形状の下端大径部７ａがシャーシ１６の長孔１６ａに挿入された後に、テープガイドポスト７を９０度回転させて、テープガイドポスト７の断面長円形状の下端大径部７ａの両端を長円形状の長孔１６ａの幅狭の左右両縁部に圧接するとともに、長孔１６ａに連通された挿入用長溝１６ｂの近傍箇所の止め孔１６ｄに、テープガイドポスト７の下部近傍箇所から突設された長板片７ｄの先端の突起７ｅを挿入する。そして、テープガイドポスト７の下部近傍箇所の複数の翼部７ｆと取付用翼状片７ｃ間でシャーシ１６を挟み込んで、テープガイドポスト７をシャーシ１６に取付固定するように構成している。
【００１７】
尚、図１に示すように、テープガイドポスト７は、シャーシ１６の長孔１６ａに取付固定されたときに、長円形状の下端大径部７ａの部分の断面における長手方向端部が磁気テープＴの走行方向に対して直角の向きに向くようになっていて、磁気テープＴの押圧に充分対応できるようになっている。
【００１８】
したがって、この第１実施形態によれば、テープガイドポスト７をシャーシの長円形状の長孔１６ａに挿し込む時の余裕を大きく取ることができ、かつ回し込んだ時に長円形状の長孔１６ａとテープガイドポスト７との隙間を挟めることができてｘｙ方向の位置決めを正確にすることが出来て、多少テープガイドポスト７の径が大きく仕上がっても容易にシャーシ１６の長円形状の長孔１６ａに取り付けることができ、この場合にもｘｙ方向の位置決めを正確にできる。
【００１９】
図４は第２実施形態のテープデッキにおけるテープガイドポストとシャーシの長孔との関係を示すもので、（ａ）はそのテープガイドポストをシャーシの長孔に挿入したときの状態の部分底面図、（ｂ）はそのテープガイドポストを長孔に取付けた状態の部分底面図である。
この第２実施形態のテープデッキは、図４（ａ）（ｂ）に示すように、テープガイドポスト７が取り付けられるシャーシ１６に、楕円形状の長孔１６ｅが穿設され、テープガイドポスト７における長孔１６ｅに挿入される下端大径部７ａ部分が若干幅狭の断面長円形状に形成されていて、楕円形状の長孔１６ｅの両端部にテープガイドポスト７の下部の取付用翼状片７ｃが挿入される外向きの長四角状の挿入用長溝１６ｂ、１６ｃが穿設され、一方側の長溝１６ｂの近傍箇所に止め孔１６ｄが穿設されている。そして、テープガイドポスト７の断面長円形状の下端大径部７ａがシャーシ１６の楕円形状の長孔１６ｅに挿入された後に、テープガイドポスト７を９０度回転させて、テープガイドポスト７の断面長円形状の下端大径部７ａの両端を楕円形状の長孔１６ｅの幅狭の左右両縁部に圧接するとともに、楕円形状の長孔１６ｅに連通された挿入用長溝１６ｂの近傍箇所の止め孔１６ｄに、テープガイドポスト７の下部近傍箇所から突設された長板片７ｄの先端の突起７ｅを挿入する。そして、テープガイドポスト７の下部近傍箇所の複数の翼部７ｆと取付用翼状片７ｃ間でシャーシ１６を挟み込んで、テープガイドポスト７をシャーシ１６に取付固定するように構成している。
【００２０】
したがって、この第２実施形態によれば、テープガイドポスト７をシャーシ１６の楕円形状の長孔１６ｅに挿し込む時の余裕を大きく取ることができ、かつ回し込んだ時に楕円形状の長孔１６ｅとテープガイドポスト７との隙間を挟めることができてｘｙ方向の位置決めを正確にすることが出来て、多少テープガイドポスト７の径が大きく仕上がっても容易にシャーシ１６の楕円形状の長孔１６ｅに取り付けることができ、この場合にもｘｙ方向の位置決めを正確にできる。
また、図示しないが、テープガイドポスト７は、シャーシ１６の長孔に嵌め入れられる箇所だけを断面長円形状に形成してもよい。
【図面の簡単な説明】
【００２１】
【図１】本発明のテープデッキ全体の内部構造を示す概略平面図である。
【図２】第１実施形態のテープデッキにおけるテープガイドポストとシャーシの長孔との関係を示すもので、（ａ）はそのテープガイドポストをシャーシの長孔に挿入したときの状態の部分縦断面図、（ｂ）はそのテープガイドポストを長孔に取付けた状態の部分縦断面図である。
【図３】第１実施形態のテープデッキにおけるテープガイドポストとシャーシの長孔との関係を示すもので、（ａ）はそのテープガイドポストをシャーシの長孔に挿入したときの状態の部分底面図、（ｂ）はそのテープガイドポストを長孔に取付けた状態の部分底面図である。
【図４】第２実施形態のテープデッキにおけるテープガイドポストとシャーシの長孔との関係を示すもので、（ａ）はそのテープガイドポストをシャーシの長孔に挿入したときの状態の部分底面図、（ｂ）はそのテープガイドポストを長孔に取付けた状態の部分底面図である。
【００２２】
【図５】従来のテープガイドポストの縦断面図である。
【図６】同テープガイドポストの分解斜視図である。
【図７】従来のテープデッキに適用したキャップを示し、（ａ）はその正面図、（ｂ）はその底面図、（ｃ）はそのキャップをテープガイドスタッドに取り付ける際の縦断面図である。
【符号の説明】
【００２３】
７              テープガイドポスト
７ａ            下端大径部
７ｂ            上端小径部
７ｃ            取付用翼状片
７ｄ            長板片
７ｅ            突起
７ｆ            翼部
１６            シャーシ
１６ａ          長円形状の長孔
１６ｂ          長四角状の挿入用長溝
１６ｃ          長四角状の挿入用長溝
１６ｄ          止め孔
１６ｅ          楕円形状の長孔
Ｔ              磁気テープ
【図１】
2005050431.tif 000003
【図２】
2005050431.tif 000004
【図３】
2005050431.tif 000005
【図４】
2005050431.tif 000006
【図５】
2005050431.tif 000007
【図６】
2005050431.tif 000008
【図７】
2005050431.tif 000009